(57)【特許請求の範囲】
【請求項１】
複写装置機能、ファクシミリ装置機能を有し、操作手段によって指示された動作モードを一定時間後に自動的にクリアするオートクリア機能を備えた複合装置において、
前記操作手段により指示された動作モードを記憶し、前記指示された動作モードでの処理が終了し一定時間たった後前記動作モードがクリアされる第１の記憶手段と、
前記第１の記憶手段に記憶された前記動作モードが複写装置機能に対する動作モードの場合のみ、クリアされるまえに前記複写装置機能に対する動作モードを記憶する第２の記憶手段と、
前記動作モードを呼び出す呼出キーと、
前記呼出キーの操作に応じて、前記第２の記憶手段から前記複写装置機能に対する動作モードを呼び出す動作モード呼出制御手段と、
を備えたことを特徴とする複合装置。
【請求項２】
動作モード呼出制御手段は、ファクシミリ装置機能を使用する場合に動作モードの呼び出しを禁止する呼出禁止手段を含む請求項１記載の複合装置。
【請求項３】
前記第２の記憶手段は、オートクリア機能が動作する場合に実行する請求項１記載の複合装置。
【請求項４】
前記第２の記憶手段は、実行しなかった動作モードの記憶を禁止する手段を含む請求項１記載の複合装置。
【請求項５】
ファクシミリ装置機能を使用する場合に指示した動作モードを、ファクシミリ装置機能の実行が完了したことに応じてデフォルトの動作モードに復帰させる手段をさらに備えた請求項１記載の複合装置。
【請求項６】
前記第２の記憶手段には前記複写装置機能に対する動作モードのみを記憶することを特徴とする請求項１記載の複合装置。
【請求項７】
複写装置機能、ファクシミリ装置機能を有し、操作手段によって指示された動作モードを一定時間後自動的にクリアするオートクリア機能を備えた複合装置において、
前記指示された動作モードを記憶し、前記指示された動作モードでの処理が終了し一定時間たった後前記動作モードがクリアされる第１の記憶工程と、
前記第１の記憶工程で記憶された前記動作モードが複写装置機能に対する動作モードの場合、クリアされるまえに前記複写装置機能に対する動作モードを記憶する第２の記憶工程と、
前記動作モードを呼び出す呼出工程と、
前記呼出工程により前記第２の記憶工程で記憶された前記複写装置機能に対する動作モードを呼び出す動作モード呼出工程と、
を備えたことを特徴とする複合装置の制御方法。
【発明の詳細な説明】
【０００１】
【発明の属する技術分野】
本発明は、複写装置機能、ファクシミリ装置機能を有する複合装置及び複合装置の制御方法に関する。
【０００２】
【従来の技術】
近年、複写装置機能、ファクシミリ装置機能を備えた複合装置が実用されるようになってきている。そして複合装置において、複写装置機能やファクシミリ装置機能を使用するユーザは、その機能に応じて、各種動作モードをセットして使用することになる。
【０００３】
例えば、複写装置機能にあっては、部数、用紙サイズ、画像濃度等が動作モードとして指定可能であり、またファクシミリ装置機能にあっては解像度等が動作モードとして指定可能である。
このような、動作モードは、一度セットしたあと、継続してセットされたままであると、多くのユーザが利用する場合に不都合であるため、一定時間が経過した後にデフォルトの動作モードに自動的にセットし直すオートクリア機能が知られている。これにより、標準的（デフォルト）な動作モードに自動的に戻ることからユーザの利便性を向上している。
また、オートクリア機能が働き標準的な動作モードになってしまった後でも、所定のキーを操作することで、最後にセットした動作モードを呼び出す機能も知られており、これにより、動作モードの再セットの利便性を向上している。
【０００４】
【発明が解決しようとする課題】
ところで複合装置の場合は、複写装置機能とファクシミリ装置機能とを有していることから、最後にセットした動作モードを呼び出してセットすると、複写装置機能を使用しようとしているにもかかわらず、ファクシミリ装置機能の動作モードが設定されてしまうなどの不都合が生じる。
【０００５】
そこで、本願発明は、このような事情に鑑みてなされたもので、複写装置機能を使用する場合に、動作モードを呼び出してセットすることができるとともに、ファクシミリ装置機能の動作モードがセットされてしまうことを防止することができる複合装置及び複合装置の制御方法を提供することを目的としている。
【０００６】
【課題を解決するための手段】
本発明は上記目的を達成するためになされたもので、複写装置機能、ファクシミリ装置機能を有し、操作手段によって指示された動作モードを一定時間後に自動的にクリアするオートクリア機能を備えた複合装置において、
前記操作手段により指示された動作モードを記憶し、前記指示された動作モードでの処理が終了し一定時間たった後前記動作モードがクリアされる第１の記憶手段と、
前記第１の記憶手段に記憶された前記動作モードが複写装置機能に対する動作モードの場合、クリアされるまえに前記複写装置機能に対する動作モードを記憶する第２の記憶手段と、
前記動作モードを呼び出す呼出キーと、
前記呼出キーの操作に応じて、前記第２の記憶手段から前記複写装置機能に対する動作モードを呼び出す動作モード呼出制御手段と、
を備えたことを特徴とする複合装置としたものである。
【０００７】
このように構成した請求項１記載の発明は、呼出キーの操作に応じて、ファクシミリ装置機能の動作モードを呼び出すことはないことから、複写装置機能を使用する場合に、ファクシミリ装置機能の動作モードがセットされてしまうことを防止することができるという作用を有するものである。
【０００８】
また請求項２記載の発明は、請求項１記載の発明において、動作モード呼出制御手段は、ファクシミリ装置機能を使用する場合に動作モードの呼び出しを禁止する呼出禁止手段を含む複合装置としたものである。
【０００９】
このように構成した請求項２記載の発明は、請求項１記載の発明の作用に加えて、ファクシミリ装置機能を使用する場合に動作モードの呼び出しを禁止することから、ファクシミリ装置機能を使用する場合に複写装置機能の動作モードがセットされることを防止することができるという作用を有するものである。
【００１０】
また請求項３記載の発明は、前記第２の記憶手段は、オートクリア機能が動作する
場合に実行する請求項１記載の複合装置としたものである。
【００１１】
このように構成した請求項３記載の発明は、請求項１記載の発明の作用に加えて、動作モードを変えて複写装置機能を実行した場合であってもその動作モードがオートクリア機能によってクリアされるまでは、実行した複写装置機能の前の動作モードを呼び出すことができるという作用を有するものである。
【００１２】
また請求項４記載の発明は、前記第２の記憶手段は、実行しなかった動作モードの記憶を禁止する手段を含む請求項１記載の複合装置としたものである。
【００１３】
このように構成した請求項４記載の発明は、請求項１記載の発明の作用に加えて、無用な動作モードを記憶することを防止することができるという作用を有するものである。
【００１４】
また請求項５記載の発明は、請求項１記載の発明において、ファクシミリ装置機能を使用する場合に指示した動作モードを、ファクシミリ装置機能の実行が完了したことに応じてデフォルトの動作モードに復帰させる手段をさらに備えた複合装置としたものである。
また請求項６記載の発明は、請求項１記載の発明において、前記第２の記憶手段には前記複写装置機能に対する動作モードのみを記憶することを特徴とする請求項１記載の複合装置としたものである。
さらに請求項７記載の発明は、複写装置機能、ファクシミリ装置機能を有し、操作手段によって指示された動作モードを一定時間後自動的にクリアするオートクリア機能を備えた複合装置において、前記指示された動作モードを記憶し、前記指示された動作モードでの処理が終了し一定時間たった後前記動作モードがクリアされる第１の記憶工程と、前記第１の記憶工程で記憶された前記動作モードが複写装置機能に対する動作モードの場合、クリアされるまえに前記複写装置機能に対する動作モードを記憶する第２の記憶工程と、前記動作モードを呼び出す呼出工程と、前記呼出工程により前記第２の記憶工程で記憶された前記複写装置機能に対する動作モードを呼び出す動作モード呼出工程と、
を備えたことを特徴とする複合装置の制御方法としたものである。
【００１５】
このように構成した請求項５記載の発明は、請求項１記載の発明の作用に加えて、ファクシミリ装置機能を利用するユーザは常にデフォルトの状態でファクシミリ装置機能を利用できるという作用を有するものである。
【００１６】
【発明の実施の形態】
以下、本発明の実施の形態を図面を参照して説明する。
図１は、本実施の形態にかかる複合装置の構成を示すブロック図である。複合装置は複合装置全体を制御するＣＰＵ１を有している。そしてそのＣＰＵ１はアドレスバスやデータバスなどからなるバスライン２を介して、複合装置がファクシミリ装置機能として通信を実行する場合の通信プロトコルなどのファクシミリ手順を含むファクシミリ機能プログラムや、複写装置機能を実行する場合のプリンタやスキャナを制御する複写機能プログラムなどを格納したＲＯＭ３、画像情報などを格納するためのＲＡＭ４が接続されている。
【００１７】
さらに、原稿の画像を読取るための読取部であるスキャナ５、このスキャナ５で読み取った画像情報や受信した画像情報を印刷するためのプリンタ６、各種メッセージや、指示された動作モードや、入力されたファクシミリ番号などを表示するための表示部７、コピーの部数や、発信の際に送信先のファクシミリ番号を入力するため等に使用されるテンキーなどの各種キーを備えた操作部８、画像情報の変調や、ＣＰＵ１から与えられるコマンドの変調を行なうモデム９、回線網１０からの信号の受信および回線網１０への信号の送信を制御する回線制御部１１、時刻を計時するタイマー回路１２等が接続されている。
【００１８】
図２はファクシミリ装置のメモリ構成図である。ＲＡＭ４は、受信した画像情報や送信する画像情報を記憶する送受信データ記憶部（図示せず）などの他に、スキャナ５で読み取られた画像情報を記憶する画像メモリ１３、指示された動作モードがセットされる動作モードメモリ１４、オートクリア機能が実行された場合にそれまで動作モードメモリ１４にセットされていた動作モードを呼び出し可能に記憶する動作モード退避メモリ１５などから構成されている。
【００１９】
前記動作モードメモリ１４は、コピーの部数がセットされる部数エリア１４１、コピーの用紙サイズ（印刷される用紙のサイズ）がセットされるサイズエリア１４２、読み取る画像の濃度がセットされる濃度エリア１４３、読み取りの解像度がセットされる解像度エリア１４４から構成されている。部数エリア１４１、サイズエリア１４２、濃度エリア１４３は複写装置機能を使用する場合に動作モードをセットするエリアであり、解像度エリア１４４はファクシミリ装置機能を使用する場合に動作モードをセットするエリアである。
【００２０】
この実施形態では、動作モードごとに次の取り決めがされているものとする。部数エリア１４１には部数が１〜９９の範囲でセットされる。サイズエリア１４２には、Ａ４の場合が１、Ａ３の場合が２、Ｂ５の場合は３がセットされる。濃度エリア１４３には標準濃度が１、薄い場合は２、濃い場合は３がセットされる。解像度エリア１４４には標準は１、精細は２、高精細は３がセットされる。
そして、デフォルトとして、部数エリア１４１には１、サイズエリア１４２には、Ａ４を示す１、濃度エリア１４３には標準濃度を示す１、解像度エリア１４４には標準を示す１がそれぞれセットされる。
【００２１】
動作モード退避メモリ１５は、複写装置機能の動作モードを呼び出し可能に記憶するメモリであり、部数エリア１４１の部数を記憶する部数退避エリア１５１、サイズエリア１４２の用紙サイズを記憶するサイズ退避エリア１５２、濃度エリア１４３の濃度を記憶する濃度退避エリア１５３からから構成されている。ファクシミリ装置機能の動作モードである、解像度を記憶するエリアは存在しない。
【００２２】
図３は本実施の形態にかかる複合装置の操作部８を示す図である。
操作部８はコピー部数や送信先のファクシミリ番号を入力するためのテンキー１６、操作をやり直すことを指示するリセットキー１７、コピーの開始や送信の開始を指示するスタートキー１８、複写装置機能を使用することを指示するコピーキー１９、ファクシミリ装置機能を使用することを指示するＦＡＸキー２０、前回使用した動作モードを呼び出すことを指示するための呼出キー２１、動作モードであるサイズを指示するためのサイズキー２２、原稿の画像濃度を指示するための濃度キー２３、解像度を指示するための解像度キー２４などを有する。
【００２３】
さらには、表示部７もこの操作部８に設けられているものである。
ここで、サイズキー２１は押す回数に応じて用紙サイズが選択できるものである。押すごとにサイズが表示部７に表示される。濃度キー２２は押す回数に応じて濃度が選択できるものである。押すごとに画像濃度が表示部７に表示される。解像度キー２３は押す回数に応じて読み取り解像度が選択できるものである。押すごとに解像度が表示部７に表示される。
いずれの動作モードも決定はスタートキー１８によって行われる。
【００２４】
図４、図５は本実施の形態にかかる複合装置のフローチャートである。なお、本実施の形態では次のような操作手順が決められているものとする。
複写装置機能を使用する場合は、スキャナ５で読み取られる原稿を載置する図示しない原稿載置部に原稿をセットしたのち、コピーキー１９を操作し、各種動作モードをセットし、コピーを開始するためにスタートキー１８を操作する。もし、前回の動作モードを呼び出したい場合はコピーキー１９を操作した後に、呼出キー２１操作する。
【００２５】
一方、ファクシミリ装置機能を使用する場合は、スキャナ５で読み取られる原稿を載置する図示しない原稿載置部に原稿をセットしたのち、ＦＡＸキー２０を操作し、必要に応じて動作モードである解像度をセットし、テンキー１６を使用して送信先のファクシミリ番号を操作して、送信を開始するためにスタートキー１８を操作する。
【００２６】
図４は、複合装置の複写装置機能およびＦＡＸ装置機能を実行する処理を示すフローチャートである。このフローチャートはファクシミリ装置が待機している状態で、操作部８のなんらかのキーが操作されたことに応じて実行する。
ステップ１００で操作されたキーがコピーキー１９であるか判別する。コピーキー１９でない場合は、ステップ１０１でＦＡＸキー２０であるか判別する。ＦＡＸキー２０でもない場合はステップ１０２で、その他の処理を実行する。
ステップ１００でコピーキー１９が操作されたことを判別した場合は、ユーザーが複写装置機能を使用する場合であるので、つぎのキー操作に待機し、キー操作がされると、ステップ１０３で操作されたキーが呼出キー２１であるか判別する。呼出キー２１であると判別した場合は、ステップ１０４で、動作モード退避メモリ１５に記憶されている各種動作モードを読出し、ステップ１０６で動作モードメモリ１４の対応する各エリアにセットする。
【００２７】
一方、ステップ１０３で呼出キー２１でないと判別した場合は、ステップ１０５で動作モードのセットの処理を実行する。このステップ１０５は、テンキー１６の操作による部数のセットや，サイズキー２２の操作による用紙サイズのセット、濃度キー２３の操作による原稿の画像濃度のセットが行われる。またこの処理のなかで、リセットキー１７が操作された場合は、コピーを実行することなく待機状態に復帰する。この場合は、動作モードメモリ１４の内容はデフォルトの動作モードがセットされ、動作モード退避メモリ１５の内容は変化しないものである。
【００２８】
また、動作モードをセットしない場合、すなわちデフォルトの動作モードや、現在セットされている動作モードのままコピーを実行する場合は、ステップ１０５のなかで、サイズキー２２、濃度キー２３の操作がされずにスタートキーが操作されたことを検出してステップ１０７のコピー処理に進む。
ステップ１０５または、ステップ１０６の処理が終了すると、ステップ１０７でセットされた動作モードにしたがいコピー処理を実行する。コピー処理が完了すると、ステップ１０８でオートクリア機能のためのタイマーをスタートして処理を終了する。このタイマーが所定の時間経過を示したことに応じて、動作モードメモリ１４にセットされた動作モードはクリアされ、デフォルトの動作モードにセットされる（図５）。
【００２９】
ステップ１０１でＦＡＸキー２０であると判別した場合は、ユーザがファクシミリ装置機能を使用する場合であるので、次のキー操作に待機し、キー操作がされると、ステップ１０９で操作されたキーが呼出キー２１であるか判別する。呼出キー２１である場合は、ファクシミリ装置機能を使用するにあたっては、呼出キー２１によって動作モードをセットすることはできないので、ステップ１１０で「呼出キーの操作はできません」などのメッセージを表示部７に表示して、キー操作に待機する。
【００３０】
ステップ１０９で呼出キー２１でないと判別した場合は、ステップ１０５で動作モードである解像度のセットの処理を実行する。このステップ１１１は、解像度キー２４の操作による読み取り解像度のセットである。解像度をセットしない場合、すなわちデフォルトの解像度のまま送信を実行する場合は、ステップ１１１のなかで、解像度キー２４の操作がされずにテンキー１６が操作されたこを検出してステップ１１２のＦＡＸ処理に進む。
【００３１】
ステップ１１２では、テンキー１６で操作されたファクシミリ番号を取りこみ、相手に発呼して、画像を読み取り送信を実行するＦＡＸ処理を実行する。
ＦＡＸ処理が終了すると、ステップ１１３で動作モードメモリ１４の解像度エリア１４４にセットされた動作モードをデフォルトの動作モードにセットし、処理を終了する。
【００３２】
図５は、複合装置のオートクリア処理を示すフローチャートである。
このフローチャートは、図４のステップ１０８でスタートしたタイマー値が所定の時間となったことに応じて実行する。
ステップ１１４で、動作モードメモリ１４にセットされた動作モードを動作モード退避メモリ１５に記憶する。なお、この場合、動作モードメモリの枚数エリア１４１、サイズエリア１４２、濃度エリア１４３にセットされている動作モードがいずれも１、すなわちデフォルトの動作モードである場合は、動作モード退避メモリ１５に記憶することを禁止する。これによって、動作モード退避メモリに、デフォルトの動作モードを記憶し、特殊な動作モードが消えてしまうといった不具合を防止することができる。
【００３３】
ステップ１１５で枚数エリア１４１、サイズエリア１４２、濃度エリア１４３にセットされている動作モードをクリアし、デフォルトの動作モードをセットして処理を終了する。
【００３４】
つぎにこの実施の形態の作用を説明する。
ユーザが複写装置機能を利用するにあたり、部数５部、用紙サイズＡ３、原稿の画像濃度が濃いとして動作モードをセットするとする。ユーザは、操作部８のテンキー１６を操作して部数５をセットし、サイズキー２２を２回押すことでＡ３をセットし、濃度キー２３を３回押すことで濃いをセットする。動作モードメモリ１４の部数エリア１４１には５、サイズエリア１４２には２、濃度エリア１４３には３がそれぞれセットされる。そしてスタートキー１８を操作すると、動作モードにしたがって、コピーが実行される。
【００３５】
コピーが完了後、所定の時間は、動作モードメモリ１４の動作モードはそのまま保持されているが、所定の時間が経過すると、部数、サイズ、濃度のそれぞれの動作モードは動作モード退避メモリ１５の部数退避エリア１５１、サイズ退避エリア１５２、濃度退避エリア１５３にそれぞれ記憶され、動作モードメモリ１４にはデフォルトの動作モードがセットされる（図２の状態）。
この状態で、先ほどのコピーの動作モードと同じ動作モードで再度コピーをしたいユーザは、コピーキー１９を操作した後、呼出キー２１を操作する。これにより、動作モード退避メモリ１５からそれぞれの動作モードが呼び出され、動作モードメモリにセットされる。
【００３６】
ユーザは、あらためて、動作モードをセットする必要なく、容易に同じコピーを取ることができる。
ところで、先にコピーをした後に別のユーザがファクシミリ装置機能を使用したとする。そして、このファクシミリ装置機能を使用したユーザは、解像度キー２４を操作し、動作モードとして高精細をセットして、ファクシミリ送信を行ったとする。しかしながら、ファクシミリ装置機能を使用した際にセットされた動作モードは、ファクシミリ送信が完了したことに応じてクリアされ、デフォルトの値がセットされ、動作モード退避メモリ１５には記憶されない。
【００３７】
したがって、このファクシミリ装置機能を使用したユーザの後に、先ほどコピーをしたユーザが、先ほどのコピーの動作モードと同じ動作モードで再度コピーをしたいと思い、呼出キー２１を操作すると、動作モード退避メモリ１５からそれぞれの動作モードが呼び出され、動作モードメモリにセットされる。ファクシミリ装置機能の動作モードがセットされることなく、ユーザは、容易に前回と同じコピーを取ることができる。
【００３８】
また、ファクシミリ装置機能を使用するユーザが、ＦＡＸキー２０を操作した後、誤って呼出キー２１を操作したとしても、「呼出キーの操作はできません」のようなメッセージが表示されて、複写装置機能の動作モードがセットされることはない。
さらに、ファクシミリ装置機能を使用したユーザが解像度キー２４を操作してセットした動作モードは、ファクシミリ送信が完了するとともに、クリアされて、デフォルトの解像度がセットされることから、次のファクシミリ装置機能を使用するユーザは標準のファクシミリ装置機能を利用できる。
【００３９】
これは、複写装置機能の動作モードは、同じ操作モードを繰り返し使用したい場合が多々あるが、ファクシミリ装置機能の場合は操作する時期がずれれば、送信先が異なることが多く、その場合は、動作モードが同じである可能性は極めて低いことから、ファクシミリ装置の動作モードを保持しないようにしているのである。
【００４０】
なお、本発明は上記実施の形態に限定されるものではない。例えば、上記の実施の形態では、ファクシミリ装置機能の動作モードはファクシミリ送信が完了した後、ただちにクリアしてデフォルトの動作モードをセットするようにしているが、オートクリア機能によって、ファクシミリ装置機能の動作モードをクリアするようにしてもよい。そうすれば、ファクシミリ装置機能を使用するユーザも所定の時間の間は、同じ動作モードを再セットすることなく利用できる。
複写装置機能の動作モードの記憶をオートクリア機能が働くときに行うようにして説明したが、コピー処理が完了したときに行っても良い。
【００４１】
複写装置機能の動作モードは、途中でリセットされた場合には記憶しないようにして説明したが、リセットするまでに設定された動作モードを記憶するようにしてもよい。
ファクシミリ装置機能を使用する場合に呼出キー２１の操作を禁止しているが、画像濃度など、ファクシミリ装置機能でも共通する動作モードに関しては呼び出してセットするようにしてもよい。
【００４２】
また、動作モードも上記説明においてあげたものに限定されず、たとえば、複写装置機能にあっては両面モードやソートモードやファクシミリ装置機能にあっては送信のモードや転送などのモードなど各種考えられる。
また、複写装置機能とファクシミリ装置機能とを有する複合装置について説明したが、パソコンと接続するインターフェースを有し、プリンタとして使用でき、またパソコンに画像を取り込むためのスキャナとして使用できる機能を備えた複合装置であってもよい。
その他、本発明の要旨を逸脱しない範囲で種々変形実施可能である。
【００４３】
【発明の効果】
請求項１記載の発明は、呼出キーの操作に応じて、ファクシミリ装置機能の動作モードを呼び出すことはないことから、複写装置機能を使用する場合に、ファクシミリ装置機能の動作モードがセットされてしまうことを防止することができるという効果を奏するものである。
【００４４】
請求項２記載の発明は、請求項１記載の発明の効果に加えて、ファクシミリ装置機能を使用する場合に動作モードの呼び出しを禁止することから、ファクシミリ装置機能を使用する場合に複写装置機能の動作モードがセットされることを防止することができるという効果を奏するものである。
【００４５】
請求項３記載の発明は、請求項１記載の発明の効果に加えて、動作モードを変えて複写装置機能を実行した場合であってもその動作モードがオートクリア機能によってクリアされるまでは、実行した複写装置機能の前の動作モードを呼び出すことができるという効果を奏するものである。
【００４６】
請求項４記載の発明は、請求項１記載の発明の効果に加えて、無用な動作モードを記憶することを防止することができるという効果を奏するものである。
【００４７】
請求項５記載の発明は、請求項１記載の発明の効果に加えて、ファクシミリ装置機能を利用するユーザは常にデフォルトの状態でファクシミリ装置機能を利用できるという効果を奏するものである。
【図面の簡単な説明】
【図１】本実施の形態に係る複合装置の構成を示すブロック図である。
【図２】同実施の形態における複合装置のメモリ構成図である。
【図３】同実施の形態における複合装置の操作部８を示す図である。
【図４】同実施の形態における複合装置の複写装置機能およびＦＡＸ装置機能を実行する処理を示すフローチャートである。
【図５】同実施の形態における複合装置のオートクリア処理を示すフローチャートである。
【符号の説明】
８                        操作部（操作手段）
１５                      動作モード退避メモリ（モード記憶部）
２１                      呼出キー
ステップ１１３、１１４    モード記憶手段
ステップ１０３、１０４    動作モード呼出制御手段
【図１】
0004447180.tif 000002
【図２】
0004447180.tif 000003
【図３】
0004447180.tif 000004
【図４】
0004447180.tif 000005
【図５】
0004447180.tif 000006